(57)【要約】【課題】種別が異なる計数機で計数してしまうことを抑制可能な遊技媒体計数システムを提供する。【解決手段】収容箱３３に種別（５円メダル・２０円メダル）を識別するためのＩＣタグ３３ａを取付けると共に、メダル計数機８，９にそのＩＣタグ３３ａから種別を読取る箱ＩＣタグリーダ３４を設け、種別が一致したときにスライドカバーのロックを解除することにより計数不可能な状態から計数可能な状態へ切換えるようにした。これにより、故意または過失により種別が異なるメダル計数機で８，９計数してしまうことを抑制できる。【選択図】図４
2014226424.tif 000002
【特許請求の範囲】
【請求項１】
遊技に使用する遊技媒体の種類が同一である複数の遊技機と、各遊技機と対応して載置され、当該遊技機での遊技により獲得した遊技媒体を収容するための収容箱と、投入された遊技媒体を計数する複数の計数機と、前記複数の遊技機及び複数の計数機に対し、前記遊技媒体の貸出単価として複数の単価の中から選択した一の単価を対応付けて設定する管理装置と、が設けられる遊技媒体計数システムにおいて、
前記収容箱は、当該収容箱が対応する遊技機に対して設定された単価を識別するための単価情報を記録した記録媒体が付設され、
前記計数機と対応して設けられ、前記収容箱に収容された遊技媒体を当該計数機へ投入するときに、当該収容箱に付設された記録媒体から前記単価情報を読取る読取手段と、
前記読取手段が読取った単価情報により特定される単価と、当該読取手段が対応している計数機に対して前記管理装置が設定した単価とが一致するか否かを判定する判定手段と、を有し、
前記計数機は、前記判定手段により単価が一致すると判定されたことを条件として計数不可能な状態から計数可能な状態へ切換えることを特徴とする遊技媒体計数システム。
【請求項２】
前記計数機は、投入された遊技媒体を受容するホッパーと、当該ホッパーの入口を開閉可能なカバーとを有し、前記判定手段により単価が一致すると判定されたときは当該カバーを閉鎖状態から開放状態へ切換えることにより、計数不可能な状態から計数可能な状態へ切換えることを特徴とする請求項１記載の遊技媒体計数システム。
【発明の詳細な説明】
【技術分野】
【０００１】
本発明は、収容箱に収容された遊技媒体を計数機に投入して計数する遊技媒体計数システムに関する。
【背景技術】
【０００２】
従来の遊技場においては、例えば特許文献１に記載されているように、遊技媒体の種類が同一で貸出単価が異なる複数の遊技機島を設け、それぞれの遊技機島に専用の計数機を設置する場合が増えている。
【先行技術文献】
【特許文献】
【０００３】
【特許文献１】特開２００９−４５３６４号公報
【発明の概要】
【発明が解決しようとする課題】
【０００４】
それぞれの計数機には種別（遊技媒体の種類・単価）が設定されており、計数機から発行されたレシートで景品交換する際はその種別が参照されることになるので、必ずその遊技機島専用の計数機で計数しなければならない。
しかしながら、業務に不慣れな従業員が計数作業を行う際に、誤って他の遊技機島の計数機に遊技媒体を投入してしまったり、あるいは遊技者が故意に高い単価の計数機で計数しようしたりすることがあった。
本発明は上記事情に鑑みてなされたもので、その目的は、種別が異なる計数機で計数してしまうことを抑制可能な遊技媒体計数システムを提供することにある。
【課題を解決するための手段】
【０００５】
本発明は、遊技に使用する遊技媒体の種類が同一である複数の遊技機と、各遊技機と対応して載置され、当該遊技機での遊技により獲得した遊技媒体を収容するための収容箱と、投入された遊技媒体を計数する複数の計数機と、前記複数の遊技機及び複数の計数機に対し、前記遊技媒体の貸出単価として複数の単価の中から選択した一の単価を対応付けて設定する管理装置と、が設けられる遊技媒体計数システムにおいて、
前記収容箱は、当該収容箱が対応する遊技機に対して設定された単価を識別するための単価情報を記録した記録媒体が付設され、前記計数機と対応して設けられ、前記収容箱に収容された遊技媒体を当該計数機へ投入するときに、当該収容箱に付設された記録媒体から前記単価情報を読取る読取手段と、前記読取手段が読取った単価情報により特定される単価と、当該読取手段が対応している計数機に対して前記管理装置が設定した単価とが一致するか否かを判定する判定手段と、を有し、前記計数機は、前記判定手段により単価が一致すると判定されたことを条件として計数不可能な状態から計数可能な状態へ切換えるものである（請求項１）。
【０００６】
請求項１記載の遊技媒体計数システムにおいて、
前記計数機は、投入された遊技媒体を受容するホッパーと、当該ホッパーの入口を開閉可能なカバーとを有し、前記判定手段により単価が一致すると判定されたときは当該カバーを閉鎖状態から開放状態へ切換えることにより、計数不可能な状態から計数可能な状態へ切換えるようにしてもよい（請求項２）。
【発明の効果】
【０００７】
請求項１の発明によれば、収容箱の種別が計数機に設定された種別と一致しない場合は遊技媒体を計数することができないので、故意または過失により種別が異なる計数機で計数してしまうことを抑制できる。
請求項２の発明によれば、ホッパーの入口に開閉可能なカバーを設け、計数不可能な状態ではカバーでホッパーの入口全体を覆うことにより、誤った計数を確実に防止することができる。
【図面の簡単な説明】
【０００８】
【図１】本発明の一実施形態における遊技場用システムの全体構成を示す概略図
【図２】メダル計数機の外観斜視図
【図３】レシートを示す図
【図４】メダル計数機の構成を示す機能ブロック図
【図５】カバーロック中画面を示す図
【図６】計数開始画面を示す図
【図７】計数完了画面を示す図
【図８】５円専用メダル計数機の動作を示すフローチャート
【発明を実施するための形態】
【０００９】
以下、本発明の一実施形態について図面を参照して説明する。
図１は遊技媒体計数システムの全体構成を示す概略図である。遊技場内には多数の遊技機１が設置されており、各遊技機１に対応して貸出ユニット２が設置されている。これら遊技機１及び貸出ユニット２は、ＬＡＮ３及び中継端末４を介して管理装置５と接続されている。管理装置５は、遊技機側（遊技機１、貸出ユニット２等）から送信される遊技信号を受信することにより遊技機１毎の遊技データを管理すると共に会員登録された会員毎の遊技データ及び貯玉（貯メダル）も管理する。遊技場には景品交換端末（以下、ＰＯＳ）６、精算機７も設置されており、ＬＡＮ３を介して管理装置５と接続されている。ＰＯＳ６は、記録媒体により特定される遊技媒体数を読取って景品交換処理を行う。精算機７は、記録媒体により特定される入金残高分の現金を払出す。
【００１０】
遊技場には玉を遊技媒体とするパチンコ機が設置されたパチンココーナーと、メダルを遊技媒体とするスロットマシンが設置されたスロットコーナーとが設けられている。
図１では遊技機としてスロットマシンを示しており、以下、スロットコーナーについて説明する。スロットコーナーには、貸出料金が１枚２０円（第１単価）のスロットマシンが設置された２０円メダル遊技機島と、貸出料金が１枚５円（第２単価）のスロットマシンが設置された５円メダル遊技機島が設けられており、２０円メダル遊技機島には２０円専用メダル計数機８が設置され、５円メダル遊技機島には５円専用メダル計数機９が設置されている。
【００１１】
遊技機１は、遊技者が表示窓１０から視認可能なリール１１、有効化された入賞ラインを示す有効ライン表示部１２、液晶表示部１３、クレジットメダルの投入を行うクレジットボタン１４、クレジットメダルの精算を行う精算ボタン１５、メダルを投入するメダル投入口１６、スタートレバー１７、左ストップボタン１８、中ストップボタン１９、右ストップボタン２０、受皿２１等を備えている。
【００１２】
遊技機１は、メダルが投入（クレジット）された状態でスタートレバー１７が操作されると（ゲーム開始操作が行われると）、発生する乱数の中から１つの乱数を抽出して内部抽選を実行し、内部当選役がある場合には当該内部当選役に対応するフラグを成立させると共に、各リール１１を始動（回転）させる。この状態で各ストップボタン１８〜２０が操作されると、内部当選役のフラグに応じて各リール１１の停止位置を決定するための図示しない停止テーブルに基づいて、所謂引込制御（すべり制御）を含む停止制御（各リール１１を内部当選役フラグの種類に応じた入賞図柄又はハズレ図柄で停止表示させる制御）を実行する。引込制御は、各ストップボタン１８〜２０の操作を検出した時点から予め規定された引込範囲（最大で４図柄まで）にある図柄を入賞ライン上に引込んで停止させることが可能な制御である。尚、内部当選役フラグに対応する図柄が引込範囲内に存在しないときは、その図柄を入賞ライン上に引き込んで停止させることができないので、入賞が発生せず、所謂取りこぼしとなる。
【００１３】
貸出ユニット２は、動作状態を示す動作ランプ２２、遊技者が貨幣を投入するための貨幣投入口２３、メダルを遊技機１の受皿２１に払出す払出ノズル２４等を備えている。
図２はメダル計数機８，９の外観斜視図を示している。メダル計数機８，９は、図示しない投入容器を開放・閉鎖するスライドカバー２５（図２はスライドカバー２５が投入容器を閉鎖する閉鎖位置にスライド移動されている状態を示す）、計数情報等の各種情報を表示する表示機能及び従業員や遊技者からの操作入力を受付ける入力受付機能を有するタッチパネル式の液晶表示部２６、メダル計数機８，９の状態を示すためのＬＥＤからなる状態表示部２７、計数値及び当該計数値を記録した２次元コードやバーコード等が印字されたレシート２８（図３参照）を発行するレシート発行口２９、従業員が所持する従業員ＩＣカード３０（図４参照）が翳されている状態で当該従業員ＩＣカード３０に内蔵されているＩＣチップ３０ａに記憶されている担当者ＩＤを読取るＩＣカードリーダ３１、緊急時にスライドカバー２５を開閉するためのスライドカバー開閉キー（図２ではカバー３２のみを示す）等を備えて構成されている。
【００１４】
メダル計数機８，９は、従業員が従業員ＩＣカード３０をＩＣカードリーダ３１に翳すことで従業員の認証操作が行われ、スライドカバー２５のロックが解除されてスライド移動されることにより図示しないホッパーと連通した投入容器が開放されると、計数可能な状態となる。従業員又は遊技者が獲得メダルを投入容器に投入すると、獲得メダルはホッパーにより順に排出される際に計数センサにより計数される。このように獲得メダルを計数中にあるときは計数値を逐一更新する。
【００１５】
メダル計数機８，９は、投入されたメダルを計数し、その計数結果を記録したレシート２８を発行すると同時に計数結果を管理装置５へ送信する。メダルの投入容器はロック状態のスライドカバー２５で閉鎖されており、担当者ＩＤを読取ったときにスライドカバー２５のロックを解除して手動で開放可能とする。スライドカバー２５を閉鎖位置に戻すと自動でロックされる。
【００１６】
図１に示すように各遊技機１に対応して獲得メダルを収容するための収容箱３３を載置可能となっており、その収容箱３３にはＩＣタグ３３ａ（記録媒体に相当）が付設されている。このＩＣタグ３３ａには種別（遊技媒体の種類・貸出単価（単価情報））と台番が記憶されている一方、メダル計数機８，９の前面にはＩＣタグ３３ａから記憶情報を読取る箱ＩＣタグリーダ３４（図２参照。読取手段に相当）が設けられている。つまり、例えば５円メダル遊技機島の遊技機１に対応する収容箱３３のＩＣタグ３３ａには、遊技媒体の種類としてメダル、貸出単価として５円が記憶されていることになる。
【００１７】
図４はメダル計数機８，９の構成を機能ブロックにより示している。メダル計数機８，９は、ＣＰＵ３５ａ、ＲＯＭ３５ｂ、ＲＡＭ３５ｃ、Ｉ／Ｏ３５ｄを有する制御部３５（判定手段に相当）、液晶表示部２６、当該液晶表示部２６の表面に設けられたタッチパネル３６、計数値等を印字したレシート２８をレシート発行口２９から発行するレシート発行部３７、ＩＣカードリーダ３１、箱ＩＣタグリーダ３４、状態表示部２７、スライドカバー２５を自動ロックするカバーロック部３８、メダルを計数する計数部３９、各種信号を管理装置５と送受信するＩ／Ｆ部４０等を備えて構成されている。
【００１８】
管理装置５は、遊技場内の例えば事務室等に設置されており、遊技場の管理者が操作するキーボード４１、モニタ４２、図示しないプリンタ等が接続されている。管理装置５は、遊技場内に設置された遊技機１、貸出ユニット２、ＰＯＳ６等の稼動状況を管理すると共に、遊技機側からの信号に基づいて遊技者毎の遊技価値の大きさを記憶管理する。
【００１９】
次に上記構成の作用について説明する。
遊技者は獲得メダルをメダル計数機８，９で計数する場合は、従業員の立ち会いの下で計数する。
図８は５円専用メダル計数機９の動作のうち、本発明に関連した動作を示すフローチャートである。尚、２０円専用メダル計数機は、以下の「５円」を「２０円」に読替えて動作するものとする。
【００２０】
５円専用メダル計数機９は、初期画面としてカバーロック中画面を表示する（Ｓ１）。
図５に示すカバーロック中画面では、「この計数機は「５円メダル専用」です。箱のＩＣタグをＩＣリーダにかさしてください。」というメッセージ４３ａを表示している。
５円専用メダル計数機９は、カバーロック中画面の表示状態では、ＩＣタグ３３ａを読取ったかを判定している（Ｓ２：ＮＯ）。従業員が収容箱３３のＩＣタグ３３ａをメダル計数機８，９の前面に設けられた箱ＩＣタグリーダ３４に翳すと、ＩＣタグ３３ａから種別（遊技媒体の種類・貸出単価）を読取り（Ｓ２：ＹＥＳ）、自身の種別と照合し（Ｓ３）、種別が一致するかを判定する（Ｓ４）。種別が不一致の場合、つまり収容箱３３が２０円メダル用の場合は（Ｓ４：ＮＯ）、「種別が一致しません。２０円メダル専用の計数機で計数してください。」というメッセージを表示する（Ｓ６）。種別が一致した場合、つまり収容箱３３が５円メダル用の場合は（Ｓ４：ＹＥＳ）、スライドカバー２５のロックを解除し（Ｓ５）、管理装置５へ台番を送信する（Ｓ７）。すると、管理装置５が受信した台番に対応して記憶している種別・機種名・持ちメダル数データ等の台番情報を該当する５円専用メダル計数機９に対して出力するので、管理装置５から台番情報を受信し（Ｓ７）、計数開始画面を表示する（Ｓ８）。
【００２１】
図６に示す計数開始画面では、「カバーのロックを解除しました。カバーを開放してメダルを投入してください。」というメッセージ４４ａ、「計数スタート」ボタン４４ｂ、「中止」ボタン４４ｃ、種別４４ｄ、台番・機種４４ｅ、持ちメダル４４ｆが表示される。
５円専用メダル計数機９は、計数開始画面の表示状態では、「計数スタート」ボタン４４ｂが押されたか（Ｓ９）、「中止」ボタン４４ｃが操作されたか（Ｓ１０）を判定している。従業員が獲得メダルを５円専用メダル計数機９に投入して「計数スタート」ボタン４４ｂを押すと（Ｓ９：ＹＥＳ）、ホッパーを駆動してメダルの計数処理を実行してから（Ｓ１１）、計数値と持ちメダルとの照合結果（正常／異常）を計数完了画面に表示する（Ｓ１２）。尚、「中止」ボタン４４ｃが押されたときは（Ｓ１０：ＹＥＳ）、台番情報をクリアする（Ｓ１８）。
【００２２】
図７に示す計数完了画面では、「計数が完了しました。確認後、レシート発行ボタンを押してください。」というメッセージ４５ａ、「レシート発行」ボタン４５ｂ、「計数再スタート」ボタン４５ｃ、計数値４５ｄ、持ちメダル４５ｅ、計数誤差判定処理結果４５ｆ、種別・台番・機種４５ｇが表示される。計数誤差判定処理では、持ちメダル数と計数値との差が許容範囲内であるか否かを判定し、許容範囲内である場合は「正常計数」、許容範囲外である場合は「異常計数」と表示する。
【００２３】
５円専用メダル計数機９は、計数完了画面の表示状態では、「レシート発行」ボタン４５ｂが押されたか（Ｓ１３）、「計数再スタート」ボタン４５ｃが押されたか（Ｓ１４）を判定している。従業員が「レシート発行」ボタン４５ｂを押すと（Ｓ１３：ＹＥＳ）、レシート２８を発行し（Ｓ１５）、発行情報を管理装置５へ送信し（Ｓ１６）、台番・発行情報をクリアする（Ｓ１７）。尚、「計数再スタート」ボタン４５ｃが押されたときは（Ｓ１４：ＹＥＳ）、ステップＳ１１に移行して計数処理を再実行する。
【００２４】
図３に示すレシート２８には、遊技場名２８ａ、発行日時２８ｂ、計数結果２８ｃ、景品交換結果２８ｄ、計数誤差結果２８ｅ、遊技機番号２８ｆ、担当者ＩＤ２８ｇが印刷されていると共に、二次元コード２８ｈが印刷されている。二次元コード２８ｈには、発行日時、計数機番号、計数結果、計数誤差結果（正常／異常  誤差枚数）、担当者ＩＤ、遊技機番号、種別（単価・種類）が記録されている。
遊技者は、５円専用メダル計数機９から発行されたレシート２８をＰＯＳ６にて景品交換処理することにより獲得した５円メダルを所望の景品に交換することができる。
【００２５】
このような実施形態によれば、次のような効果を奏することができる。
収容箱３３に種別（５円メダル・２０円メダル）を識別するためのＩＣタグ３３ａを取付けると共に、メダル計数機８，９にそのＩＣタグ３３ａから種別を読取る箱ＩＣタグリーダ３４を設け、種別が一致したときにスライドカバー２５のロックを解除することにより計数不可能な状態から計数可能な状態へ切換えるようにしたので、故意または過失により種別が異なるメダル計数機８，９で計数してしまうことを抑制できる。
メダル計数機８，９の投入容器（ホッパー）の入口に開閉可能なスライドカバー２５を設け、計数不可能な状態ではスライドカバー２５で投入容器（ホッパー）の入口全体を覆うようにしたので、誤った計数を確実に防止することができる。
【００２６】
（その他の実施形態）
本発明は、上記実施形態に限定されることなく、次のように変形または拡張したり、各変形例を上記実施形態と組合せたり、各変形例を組合せるようにしてもよい。
スライドカバー２５の開閉により計数可能状態と計数不可状態とを切換えるようにしたが、スライドカバー２５は無くてもよい。即ち、計数不可状態では「計数スタート」ボタン４４ｂが表示されず、計数可能状態では上記ボタンが表示されて計数可能状態となる。
遊技機としてスロットマシン、遊技媒体としてメダルを例示したが、これに限定されず、遊技媒体として遊技球を用いるスロットマシンやパチンコ遊技機に適用することもできる。
遊技媒体の貸出単価は任意に設定することができる。
【符号の説明】
【００２７】
図面中、１は遊技機、５は管理装置、８，９はメダル計数機（計数機、判定手段）、２５はスライドカバー（カバー）、３３は収容箱、３３ａはＩＣタグ（記録媒体）、３４は箱ＩＣタグリーダ（読取手段）である。
【図１】
2014226424.tif 000003
【図２】
2014226424.tif 000004
【図３】
2014226424.tif 000005
【図４】
2014226424.tif 000006
【図５】
2014226424.tif 000007
【図６】
2014226424.tif 000008
【図７】
2014226424.tif 000009
【図８】
2014226424.tif 000010